(57)【要約】【課題】病院医療情報システムを構成するサーバに受診者を識別するための機能を持たせる必要がなく、既存の医療情報システムをそのまま用いて受診者識別機能を備えることができる受診者確認装置を提供する。【解決手段】受診者確認装置５は、端末１０と、モニタ５０と、スピーカ６０と、バーコードリーダ７０と、画像分配器８０と、キャプチャユニット８２と、ハブ９０とを有し、画像分配器８０は、ＣＴコンソール１１２とコンソールモニタ１１４間に接続され、ハブ９０は、ＲＩＳサーバ１０６とＣＴコンソール１１２間に接続されている。受診者のリストバンドに表示されたバーコードをバーコードリーダ７０により読み取って受診者ＩＤを検出するとともに、画像分配器８０から取得した画像信号に基づいて検出した受診者ＩＤとを比較して、２つの受診者ＩＤの一致度をモニタ５０やスピーカ６０から出力する。【選択図】図２
2015200981.tif 000002
【特許請求の範囲】
【請求項１】
受診者を識別するための受診者確認装置であって、
検査機器と、該検査機器の動作を制御する検査機器制御装置と、検査機器制御装置から送信される画像信号に基づく画像で、受診者に付与された受診者ＩＤを表示する表示欄を有し、検査機器制御装置を操作するための画像を表示するモニタとを有するモダリティ装置における検査機器制御装置とモニタの間に接続される画像信号取得手段で、検査機器制御装置から送信される該画像信号を取得する画像信号取得手段と、
画像信号取得手段により取得された画像信号をデジタル画像データに変換する変換手段と、
変換手段により得られたデジタル画像データから受診者ＩＤを検出する第１受診者ＩＤ検出手段と、
読取り情報であって、受診者に与えられた情報保持手段に保持された情報又は受診者の生体情報である読取り情報を読み取る読取り手段と、
読取り手段により読み取られた読取り情報から受診者ＩＤを検出する第２受診者情報検出手段と、
第１受診者ＩＤ検出手段により検出した受診者ＩＤと、第２受診者ＩＤ検出手段により検出した受診者ＩＤとを比較して、その一致度を判定する判定手段と、
判定手段による判定結果を出力する出力手段と、
を有し、
読取り手段による読取り情報の読取りがあった場合に、第１受診者ＩＤ検出手段により画像データに含まれる受診者ＩＤが検出され、判定手段により第１受診者ＩＤ検出手段により検出した受診者ＩＤと第２受診者ＩＤ検出手段により検出した受診者ＩＤの一致度が判定され、出力手段により判定結果が出力されることを特徴とする受診者確認装置。
【請求項２】
受診者に付与された受診者ＩＤを少なくとも有する受診者情報を含む送信データで検査機器制御装置に入力するための送信データを送信する送信装置と該検査機器制御装置の間に接続される通信データ取得手段で、送信装置と検査機器制御装置間で通信される通信データで該送信データを含む通信データを取得する通信データ取得手段と、
通信データ取得手段により取得された通信データから受診者情報を検出する受診者情報検出手段と、
受診者情報検出手段により検出された受診者情報を蓄積する受診者情報蓄積手段と、を有し、
読取り手段により読取り情報の読取りがあった場合には、出力手段は、受診者情報蓄積手段により蓄積された受診者情報において第２受診者ＩＤ検出手段により検出された受診者ＩＤと一致する受診者ＩＤを有する受診者情報を表示して出力することを特徴とする請求項１に記載の受診者確認装置。
【請求項３】
通信データ取得手段が、送信装置と検査機器制御装置間で通信される通信データを受診者情報検出手段に送るハブ装置であることを特徴とする請求項２に記載の受診者確認装置。
【請求項４】
送信装置から送信される送信データに含まれる受診者情報には、少なくとも受診者の氏名の情報が含まれることを特徴とする請求項２又は３に記載の受診者確認装置。
【請求項５】
画像信号取得手段が、検査機器制御装置とモニタの間に接続された画像分配器であり、検査機器制御装置から送られた画像信号が、画像分配器を介してモニタと変換手段に対して送られることを特徴とする請求項１又は２又は３又は４に記載の受診者確認装置。
【請求項６】
第１受診者ＩＤ検出手段は、変換手段により得られたデジタル画像データにおける受診者ＩＤが表示された領域に対して光学式文字認識を行なうことにより受診者ＩＤを検出することを特徴とする請求項１又は２又は３又は４又は５に記載の受診者確認装置。
【請求項７】
受診者を識別するための受診者確認装置であって、
検査機器と、該検査機器の動作を制御する検査機器制御装置と、検査機器制御装置から送信される画像信号に基づく画像で、受診者に付与された受診者ＩＤを表示する表示欄を有し、検査機器制御装置を操作するための画像を表示するモニタとを有するモダリティ装置における検査機器制御装置とモニタの間に接続される画像信号取得手段で、検査機器制御装置から送信される該画像信号を取得する画像信号取得手段と、
画像信号取得手段により取得された画像信号に基づき受診者ＩＤを検出する第１受診者ＩＤ検出手段と、
読取り情報であって、受診者に与えられた情報保持手段に保持された情報又は受診者の生体情報である読取り情報を読み取る読取り手段と、
読取り手段により読み取られた読取り情報から受診者ＩＤを検出する第２受診者情報検出手段と、
第１受診者ＩＤ検出手段により検出した受診者ＩＤと、第２受診者ＩＤ検出手段により検出した受診者ＩＤとを比較して、その一致度を判定する判定手段と、
判定手段による判定結果を出力する出力手段と、
を有し、
読取り手段による読取り情報の読取りがあった場合に、第１受診者ＩＤ検出手段により画像データに含まれる受診者ＩＤが検出され、判定手段により第１受診者ＩＤ検出手段により検出した受診者ＩＤと第２受診者ＩＤ検出手段により検出した受診者ＩＤの一致度が判定され、出力手段により判定結果が出力されることを特徴とする受診者確認装置。
【請求項８】
情報保持手段が、読取り情報としてのバーコードが表示されたバーコード表示体であり、読取り手段が、バーコード表示体に表示されたバーコードを読み取るバーコードリーダであることを特徴とする請求項１又は２又は３又は４又は５又は６又は７に記載の受診者確認装置。
【請求項９】
受診者を識別するための受診者確認装置であって、
画像分配器と、画像分配器と接続される変換装置と、読取り装置と、出力装置と、確認装置本体と、を有し、
画像分配器が、検査機器と、該検査機器の動作を制御する検査機器制御装置と、検査機器制御装置から送信される画像信号に基づく画像で、受診者に付与された受診者ＩＤを表示する表示欄を有し、検査機器制御装置を操作するための画像を表示するモニタとを有するモダリティ装置における検査機器制御装置とモニタの間に接続され、検査機器制御装置から送られた該画像信号が、画像分配器を介してモニタと変換装置に対して送られ、
変換装置が、画像分配器から入力された画像信号をデジタル画像データに変換し、
読取り装置が、読取り情報であって、受診者に与えられた情報保持手段に保持された情報又は受診者の生体情報である読取り情報を読み取り、
読取り装置により読取り情報の読取りがあった場合には、確認装置本体が、変換装置により得られたデジタル画像データから受診者ＩＤを検出するとともに、読み取られた読取り情報に基づき受診者ＩＤを検出して、検出された２つの受診者ＩＤを比較してその一致度を判定し、判定した結果を出力装置から出力することを特徴とする受診者確認装置。
【請求項１０】
受診者を識別するための受診者確認装置であって、
画像分配器と、読取り装置と、出力装置と、確認装置本体と、を有し、
画像分配器が、検査機器と、該検査機器の動作を制御する検査機器制御装置と、検査機器制御装置から送信される画像信号に基づく画像で、受診者に付与された受診者ＩＤを表示する表示欄を有し、検査機器制御装置を操作するための画像を表示するモニタとを有するモダリティ装置における検査機器制御装置とモニタの間に接続され、検査機器制御装置から送られた該画像信号が、画像分配器を介してモニタと確認装置本体に対して送られ、
読取り装置が、読取り情報であって、受診者に与えられた情報保持手段に保持された情報又は受診者の生体情報である読取り情報を読み取り、
読取り装置により読取り情報の読取りがあった場合には、確認装置本体が、画像分配器から入力された画像信号をデジタル画像データに変換し、該デジタル画像データから受診者ＩＤを検出するとともに、読み取られた読取り情報に基づき受診者ＩＤを検出して、検出された２つの受診者ＩＤを比較してその一致度を判定し、判定した結果を出力装置から出力することを特徴とする受診者確認装置。
【請求項１１】
受診者に付与された受診者ＩＤを少なくとも有する受診者情報を含む送信データで検査機器制御装置に入力するための送信データを送信する送信装置と該検査機器制御装置の間に接続されるハブ装置が設けられ、送信装置と検査機器制御装置間で通信される通信データで該送信データを含む通信データが、該ハブ装置により確認装置本体に送られ、
確認装置本体は、該ハブ装置から送られた通信データから受診者情報を検出して、検出した受診者情報を蓄積するとともに、読取り装置による読取り情報の読取りがあった場合には、蓄積された受診者情報において読取り情報に基づき検出した受診者ＩＤと一致する受診者ＩＤを有する受診者情報を出力装置に出力することを特徴とする請求項９又は１０に記載の受診者確認装置。
【請求項１２】
送信装置から送信される送信データに含まれる受診者情報には、少なくとも受診者の氏名の情報が含まれることを特徴とする請求項１１に記載の受診者確認装置。
【請求項１３】
確認装置本体は、デジタル画像データにおける受診者ＩＤが表示された領域に対して光学式文字認識を行なうことにより受診者ＩＤを検出することを特徴とする請求項９又は１０又は１１又は１２に記載の受診者確認装置。
【請求項１４】
情報保持手段が、読取り情報としてのバーコードが表示されたバーコード表示体であり、読取り装置が、バーコード表示体に表示されたバーコードを読み取るバーコードリーダであることを特徴とする請求項９又は１０又は１１又は１２又は１３に記載の受診者確認装置。
【請求項１５】
バーコード表示体が、バーコードが表示されたリストバンド又はバーコードが表示された帳票であることを特徴とする請求項８又は１４に記載の受診者確認装置。
【発明の詳細な説明】
【技術分野】
【０００１】
本発明は、病院等の医療機関において、患者等の受診者の誤認を防止するための装置に関するものである。
【背景技術】
【０００２】
従来より、受診者の誤認を防止するための装置として、以下に示すものが存在する。すなわち、特許文献１に示す確認システムにおいては、確認装置１は、ユーザ識別特徴の読み取り部１１により、静脈、指紋等のユーザ識別特徴情報を読み取り、読み取ったユーザ識別特徴情報をサーバ２へ送信し、問合せを行なう。サーバ２は、送信されたユーザ識別特徴情報と、サーバ記憶部１５内に記憶されているユーザ識別特徴情報との照合を行い、ユーザ識別特徴情報が存在していることの確認ができた場合に限り、患者の個人情報と診療記録などの情報を応答し、確認装置１は、表示部５に診療歴情報画面７０１を表示し、受信した患者の個人情報と診療記録を表示する。
【０００３】
また、特許文献２に示す患者誤認防止のための病院医療情報システムにおいては、薬剤部門、核医学部門等の各部門に設けられたサーバが、患者情報が記載されたリストバンドとサーバのオーダー情報とを照合して患者確認を行なう。
【０００４】
また、特許文献３に示す医療診断装置における第２の実施の形態による患者照合処理においては、患者が選択されると、患者を特定する情報及びその検査関連項目を抽出し、抽出された情報を走査ガントリ部３０の表面の表示パネル３２に表示し、ＩＣカードから患者の識別情報が読み取られたら、抽出した患者識別情報と読み取った患者識別情報とを比較して一致するか否かを判別する。
【０００５】
また、従来におけるＤＩＣＯＭによる医療情報システムの放射線部門における一例を挙げると、図１３に示すように構成され、端末１１０２と、ＨＩＳサーバ（病院情報システムサーバ）１１０４と、ＲＩＳサーバ（放射線部門情報管理システムサーバ）１１０６と、ＣＴコンソール１１１２と、コンソールモニタ１１１４と、ガントリ１１１６と、寝台１１１８とを有しており、端末１１０２において、検査オーダーの操作が行われると、検査オーダー情報がＨＩＳサーバ１１０４に送られ、ＨＩＳサーバ１１０４からは受診者情報と検査オーダー情報がＲＩＳサーバ１１０６に送られ、ＲＩＳサーバ１１０６からは該受診者情報と検査オーダー情報がＣＴコンソール１１１２に送られて、ＣＴコンソール１１１２から出力された画像情報がコンソールモニタ１１１４に表示されるとともに、ＣＴコンソール１１１２によりガントリ１１１６と寝台１１１８の動作が制御される。図１３に示す医療情報システムにおいて、端末１１０２とＨＩＳサーバ１１０４とＲＩＳサーバ１１０６とでシステム本体１１０１が構成され、ＣＴコンソール１１１２とコンソールモニタ１１１４とガントリ１１１６と寝台１１１８とでモダリティ装置１１１０が構成される。
【先行技術文献】
【特許文献】
【０００６】
【特許文献１】特開２００７−３０４９７５号公報
【特許文献２】特開２００２−１３２９６２号公報
【特許文献３】特開２００５−３４４号公報
【発明の概要】
【発明が解決しようとする課題】
【０００７】
しかし、上記各特許文献における装置やシステムにおいては、サーバが予め記憶されている受診者情報と読み取った受診者情報とを照合するので、サーバに照合を行なう機能を設ける必要があり、つまり、サーバ内のプログラムに照合を行なう機能を持たせる必要があり、図１３に示すような既存の構成をそのまま用いて受診者識別機能を備えることができないという問題があった。つまり、図１３に示す構成の病院システムの場合には、ＨＩＳサーバ１１０４に上記照合を行なう機能を設ける必要があり、図１３に示すシステムをそのまま用いて簡易に受診者識別機能を持たせることができない。
【０００８】
そこで、病院等における医療情報システムを構成するサーバに受診者を識別するための機能を持たせる必要がなく、既存の医療情報システムをそのまま用いて受診者識別機能を備えることができる受診者確認装置を提供することを目的とするものである。
【課題を解決するための手段】
【０００９】
本発明は上記問題点を解決するために創作されたものであって、第１には、受診者を識別するための受診者確認装置であって、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続される（「接続された」としてもよい）画像信号取得手段で、検査機器制御装置から送信される該画像信号を取得する画像信号取得手段（８０）と、画像信号取得手段により取得された画像信号をデジタル画像データに変換する変換手段（８２）と、変換手段により得られたデジタル画像データから受診者ＩＤを検出する第１受診者ＩＤ検出手段（３２、４０）と、読取り情報であって、受診者に与えられた情報保持手段（７２）に保持された情報又は受診者の生体情報である読取り情報を読み取る読取り手段（７０）と、読取り手段により読み取られた読取り情報から受診者ＩＤを検出する第２受診者情報検出手段（３２、４０）と、第１受診者ＩＤ検出手段により検出した受診者ＩＤと、第２受診者ＩＤ検出手段により検出した受診者ＩＤとを比較して、その一致度を判定する判定手段（３２、４０）と、判定手段による判定結果を出力する出力手段（４０、５０、６０）と、を有し、読取り手段による読取り情報の読取りがあった場合に、第１受診者ＩＤ検出手段により画像データに含まれる受診者ＩＤが検出され、判定手段により第１受診者ＩＤ検出手段により検出した受診者ＩＤと第２受診者ＩＤ検出手段により検出した受診者ＩＤの一致度が判定され、出力手段により判定結果が出力されることを特徴とする。
【００１０】
第１の構成の受診者確認装置においては、画像信号取得手段が、受診者ＩＤを表示する表示欄を有する画像についての画像信号を取得し、変換手段が、画像信号取得手段により取得された画像信号をデジタル画像データに変換し、第１受診者ＩＤ検出手段が、該デジタル画像データから受診者ＩＤを検出する。一方、読取り手段は、読取り情報を読み取り、第２受診者ＩＤ検出手段が、読取り情報から受診者ＩＤを検出する。判定手段は、検出された２つの受診者ＩＤを比較してその一致度を判定し、判定結果を出力手段により出力することにより、受診者が識別される。
【００１１】
よって、画像データ取得手段を検査機器制御装置とモニタの間に接続して配置することにより受診者を識別して受診者の誤認を防止することができるので、医療情報システムにおけるサーバに受診者を識別するための機能を持たせる必要がなく、既存の医療情報システムをそのまま用いて受診者識別機能を備えることができ、これにより、低コストで受診者の識別を行なうことができる。
【００１２】
なお、上記第１の構成を以下のようにしてもよい。すなわち、「受診者を識別するための受診者確認装置であって、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続される（「接続された」としてもよい）画像信号取得手段で、検査機器制御装置から送信される該画像信号を取得する画像信号取得手段（８０）と、画像信号取得手段により取得された画像信号をデジタル画像データに変換する変換手段（８２）と、変換手段により得られたデジタル画像データから受診者ＩＤを検出する受診者ＩＤ検出手段（３２、４０）と、受診者が装着する装着具（７２）に保持された受診者ＩＤを読み取る受診者ＩＤ読取り手段（７０、３２、４０）と、受診者ＩＤ検出手段により検出した受診者ＩＤと、受診者ＩＤ読取り手段により読み取った受診者ＩＤとを比較して、その一致度を判定する判定手段（３２、４０）と、判定手段による判定結果を出力する出力手段（４０、５０、６０）と、を有し、受診者ＩＤ読取り手段による受診者ＩＤの読取りがあった場合に、受診者ＩＤ検出手段により画像データに含まれる受診者ＩＤが検出され、判定手段により受診者ＩＤ検出手段により検出した受診者ＩＤと受診者ＩＤ読取り手段により読み取った受診者ＩＤの一致度が判定され、出力手段により判定結果が出力されることを特徴とする受診者確認装置。」としてもよい。
【００１３】
また、第２には、上記第１の構成において、受診者に付与された受診者ＩＤを少なくとも有する受診者情報を含む送信データで検査機器制御装置に入力するための送信データを送信する送信装置（１０１）と該検査機器制御装置の間に接続される（「接続された」としてもよい）通信データ取得手段で、送信装置と検査機器制御装置間で通信される通信データで該送信データを含む通信データを取得する通信データ取得手段（９０）と、通信データ取得手段により取得された通信データから受診者情報を検出（抽出としてもよい）する受診者情報検出手段（受診者情報抽出手段としてもよい）（３２、４０）と、受診者情報検出手段により検出された受診者情報を蓄積する受診者情報蓄積手段（３２、３６、４０）と、を有し、読取り手段により読取り情報の読取りがあった場合には、出力手段は、受診者情報蓄積手段により蓄積された受診者情報において第２受診者ＩＤ検出手段により検出された受診者ＩＤと一致する受診者ＩＤを有する受診者情報を表示して出力することを特徴とする。
【００１４】
よって、通信データ取得手段をシステム本体と検査機器制御装置の間に接続して配置することにより受診者情報を表示できるので、医療情報システムにおけるサーバに受診者情報を表示するための機能を持たせる必要がなく、既存の医療情報システムをそのまま用いて受診者情報表示機能を備えることができ、これにより、低コストで受診者の識別を行なうことができる。また、２つの受診者ＩＤの一致度を出力するだけでなく、受診者情報を表示することができるので、本人確認を容易とすることができる。
【００１５】
なお、上記第２の構成を以下のようにしてもよい。すなわち、「上記第１の構成において、受診者に付与された受診者ＩＤを少なくとも有する受診者情報を含む送信データで検査機器制御装置に入力するための送信データを送信する送信装置（１０１）と該検査機器制御装置の間に接続される（「接続された」としてもよい）通信データ取得手段で、送信装置と検査機器制御装置間で通信される通信データで該送信データを含む通信データを取得する通信データ取得手段（９０）と、通信データ取得手段により取得された通信データから受診者情報を検出（抽出としてもよい）する受診者情報検出手段（受診者情報抽出手段としてもよい）（３２、４０）と、受診者抽出手段により取得された受診者情報を蓄積する受診者情報蓄積手段（３２、３６、４０）と、を有し、受診者ＩＤ読取り手段により受診者ＩＤの読取りがあった場合には、出力手段は、受診者情報蓄積手段により蓄積された受診者情報において受診者ＩＤ読取り手段により読み取られた受診者ＩＤと一致する受診者ＩＤを有する受診者情報を表示して出力することを特徴とする。」としてもよい。
【００１６】
また、第３には、上記第２の構成において、通信データ取得手段が、送信装置と検査機器制御装置間で通信される通信データを受診者情報検出手段に送るハブ装置（９０）であることを特徴とする。
【００１７】
また、第４には、上記第２又は第３の構成において、送信装置から送信される送信データに含まれる受診者情報には、少なくとも受診者の氏名の情報が含まれることを特徴とする。
【００１８】
また、第５には、上記第１から第４までのいずれかの構成において、画像信号取得手段が、検査機器制御装置とモニタの間に接続された画像分配器であり、検査機器制御装置から送られた画像信号が、画像分配器を介してモニタと変換手段に対して送られることを特徴とする。
【００１９】
また、第６には、上記第１から第５までのいずれかの構成において、第１受診者ＩＤ検出手段は、変換手段により得られたデジタル画像データにおける受診者ＩＤが表示された領域に対して光学式文字認識を行なうことにより受診者ＩＤを検出することを特徴とする。
【００２０】
また、第７には、受診者を識別するための受診者確認装置であって、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続される（「接続された」としてもよい）画像信号取得手段で、検査機器制御装置から送信される該画像信号を取得する画像信号取得手段（８０）と、画像信号取得手段により取得された画像信号に基づき受診者ＩＤを検出する第１受診者ＩＤ検出手段（８２、３２、４０）と、読取り情報であって、受診者に与えられた情報保持手段（７２）に保持された情報又は受診者の生体情報である読取り情報を読み取る読取り手段（７０）と、読取り手段により読み取られた読取り情報から受診者ＩＤを検出する第２受診者情報検出手段（３２、４０）と、第１受診者ＩＤ検出手段により検出した受診者ＩＤと、第２受診者ＩＤ検出手段により検出した受診者ＩＤとを比較して、その一致度を判定する判定手段（３２、４０）と、判定手段による判定結果を出力する出力手段（４０、５０、６０）と、を有し、読取り手段による読取り情報の読取りがあった場合に、第１受診者ＩＤ検出手段により画像データに含まれる受診者ＩＤが検出され、判定手段により第１受診者ＩＤ検出手段により検出した受診者ＩＤと第２受診者ＩＤ検出手段により検出した受診者ＩＤの一致度が判定され、出力手段により判定結果が出力されることを特徴とする。
【００２１】
第７の構成の受診者確認装置においては、画像信号取得手段が、受診者ＩＤを表示する表示欄を有する画像についての画像信号を取得し、第１受診者ＩＤ検出手段が、画像信号取得手段により取得された画像信号に基づき受診者ＩＤを検出する。一方、読取り手段は、読取り情報を読み取り、第２受診者ＩＤ検出手段が、読取り情報から受診者ＩＤを検出する。判定手段は、検出された２つの受診者ＩＤを比較してその一致度を判定し、判定結果を出力手段により出力することにより、受診者が識別される。
【００２２】
よって、画像データ取得手段を検査機器制御装置とモニタの間に接続して配置することにより受診者を識別して受診者の誤認を防止することができるので、医療情報システムにおけるサーバに受診者を識別するための機能を持たせる必要がなく、既存の医療情報システムをそのまま用いて受診者識別機能を備えることができ、これにより、低コストで受診者の識別を行なうことができる。
【００２３】
なお、上記第７の構成を以下のようにしてもよい。すなわち、「受診者を識別するための受診者確認装置であって、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続される（「接続された」としてもよい）画像信号取得手段で、検査機器制御装置から送信される該画像信号を取得する画像信号取得手段（８０）と、画像信号取得手段により取得された画像信号に基づき受診者ＩＤを検出する第１受診者ＩＤ検出手段（８２、３２、４０）と、受診者が装着する装着具（７２）に保持された受診者ＩＤを読み取る受診者ＩＤ読取り手段（７０、３２、４０）と、受診者ＩＤ検出手段により検出した受診者ＩＤと、受診者ＩＤ読取り手段により読み取った受診者ＩＤとを比較して、その一致度を判定する判定手段（３２、４０）と、判定手段による判定結果を出力する出力手段（４０、５０、６０）と、を有し、受診者ＩＤ読取り手段による受診者ＩＤの読取りがあった場合に、受診者ＩＤ検出手段により画像データに含まれる受診者ＩＤが検出され、判定手段により受診者ＩＤ検出手段により検出した受診者ＩＤと受診者ＩＤ読取り手段により読み取った受診者ＩＤの一致度が判定され、出力手段により判定結果が出力されることを特徴とする受診者確認装置。」としてもよい。
【００２４】
なお、第７−１の構成として、以下の構成としてもよい。すなわち、「上記第７の構成において、受診者に付与された受診者ＩＤを少なくとも有する受診者情報を含む送信データで検査機器制御装置に入力するための送信データを送信する送信装置（１０１）と該検査機器制御装置の間に接続される（「接続された」としてもよい）通信データ取得手段で、送信装置と検査機器制御装置間で通信される通信データで該送信データを含む通信データを取得する通信データ取得手段（９０）と、通信データ取得手段により取得された通信データから受診者情報を検出（抽出としてもよい）する受診者情報検出手段（受診者情報抽出手段としてもよい）（３２、４０）と、受診者情報検出手段により検出された受診者情報を蓄積する受診者情報蓄積手段（３２、３６、４０）と、を有し、読取り手段により読取り情報の読取りがあった場合には、出力手段は、受診者情報蓄積手段により蓄積された受診者情報において第２受診者ＩＤ検出手段により検出された受診者ＩＤと一致する受診者ＩＤを有する受診者情報を表示して出力することを特徴とする。」としてもよい。
【００２５】
また、第７−２の構成として、以下の構成としてもよい。すなわち、「上記第７−１の構成において、通信データ取得手段が、送信装置と検査機器制御装置間で通信される通信データを受診者情報検出手段に送るハブ装置であることを特徴とする。」としてもよい。
【００２６】
また、第７−３の構成として、以下の構成としてもよい。すなわち、「上記第７−１又は第７−２の構成において、送信装置から送信される送信データに含まれる受診者情報には、少なくとも受診者の氏名の情報が含まれることを特徴とする。」としてもよい。
【００２７】
また、第７−４の構成として、以下の構成としてもよい。すなわち、「第７又は第７−１又は第７−２又は第７−３の構成において、画像信号取得手段が、検査機器制御装置とモニタの間に接続された画像分配器であり、検査機器制御装置から送られた画像信号が、画像分配器を介してモニタと第１受診者ＩＤ検出手段に対して送られることを特徴とする。」としてもよい。
【００２８】
また、第７−５の構成として、以下の構成としてもよい。すなわち、「第７又は第７−１又は第７−２又は第７−３又は第７−４の構成において、第１受診者ＩＤ検出手段は、画像信号取得手段により取得された画像信号をデジタル画像データに変換し、該デジタル画像データにおける受診者ＩＤが表示された領域に対して光学式文字認識を行なうことにより受診者ＩＤを検出することを特徴とする。」としてもよい。
【００２９】
また、第８には、上記第１から第７までのいずれかの構成において、情報保持手段が、読取り情報としてのバーコードが表示されたバーコード表示体であり、読取り手段が、バーコード表示体に表示されたバーコードを読み取るバーコードリーダであることを特徴とする。
【００３０】
なお、「上記第７−１又は第７−２又は第７−３又は第７−４又は第７−５の構成において、情報保持手段が、読取り情報としてのバーコードが表示されたバーコード表示体であり、読取り手段が、バーコード表示体に表示されたバーコードを読み取るバーコードリーダであることを特徴とする。」としてもよい。
【００３１】
なお、上記第１から第８までのいずれかの構成において、上記出力手段が、判定結果を表示する表示装置及び／又は判定結果を音声で出力する音声出力装置であることを特徴とするものとしてもよい。
【００３２】
また、第９には、受診者を識別するための受診者確認装置であって、画像分配器（８０）と、画像分配器と接続される（「接続された」としてもよい）変換装置（８２）と、読取り装置（７０）と、出力装置（５０、６０）と、確認装置本体（１０）と、を有し、画像分配器が、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続され、検査機器制御装置から送られた該画像信号が、画像分配器を介してモニタと変換装置に対して送られ、変換装置が、画像分配器から入力された画像信号をデジタル画像データに変換し、読取り装置が、読取り情報であって、受診者に与えられた情報保持手段（７２）に保持された情報又は受診者の生体情報である読取り情報を読み取り、読取り装置により読取り情報の読取りがあった場合には、確認装置本体が、変換装置により得られたデジタル画像データから受診者ＩＤを検出するとともに、読み取られた読取り情報に基づき受診者ＩＤを検出して、検出された２つの受診者ＩＤを比較してその一致度を判定し、判定した結果を出力装置から出力することを特徴とする。
【００３３】
第９の構成の受診者確認装置においては、モニタに表示された画像に含まれる受診者ＩＤと、読取り装置により読み取られた読取り情報に基づき検出された受診者ＩＤとを比較してその一致度を出力することにより、受診者が識別される。
【００３４】
よって、画像分配器を検査機器制御装置とモニタの間に接続して配置することにより受診者を識別して受診者の誤認を防止することができるので、医療情報システムにおけるサーバに受診者を識別するための機能を持たせる必要がなく、既存の医療情報システムをそのまま用いて受診者識別機能を備えることができ、これにより、低コストで受診者の識別を行なうことができる。
【００３５】
なお、上記第９の構成を以下のようにしてもよい。すなわち、「受診者を識別するための受診者確認装置であって、画像分配器（８０）と、画像分配器と接続される（「接続された」としてもよい）変換装置（８２）と、読取り装置（７０）と、出力装置（５０、６０）と、確認装置本体（１０）と、を有し、画像分配器が、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続され、検査機器制御装置から送られた該画像信号が、画像分配器を介してモニタと変換装置に対して送られ、変換装置が、画像分配器から入力された画像信号をデジタル画像データに変換し、読取り装置が、受診者が装着する装着具に保持された受診者ＩＤを読み取り、読取り装置による受診者ＩＤの読取りがあった場合には、確認装置本体が、変換装置により得られたデジタル画像データから受診者ＩＤを検出するとともに、該検出された受診者ＩＤを読取り装置により読み取られた受診者ＩＤと比較して、その一致度を判定し、判定した結果を出力装置から出力することを特徴とする受診者確認装置。」としてもよい。
【００３６】
また、第１０には、受診者を識別するための受診者確認装置であって、画像分配器（８０）と、読取り装置（７０）と、出力装置（５０，６０）と、確認装置本体（１０）と、を有し、画像分配器が、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続され、検査機器制御装置から送られた該画像信号が、画像分配器を介してモニタと確認装置本体に対して送られ、読取り装置が、読取り情報であって、受診者に与えられた情報保持手段に保持された情報又は受診者の生体情報である読取り情報を読み取り、読取り装置により読取り情報の読取りがあった場合には、確認装置本体が、画像分配器から入力された画像信号をデジタル画像データに変換し、該デジタル画像データから受診者ＩＤを検出するとともに、読み取られた読取り情報に基づき受診者ＩＤを検出して、検出された２つの受診者ＩＤを比較してその一致度を判定し、判定した結果を出力装置から出力することを特徴とする。
【００３７】
第１０の構成の受診者確認装置においては、モニタに表示された画像に含まれる受診者ＩＤと、読取り装置により読み取られた読取り情報に基づき検出された受診者ＩＤとを比較してその一致度を出力することにより、受診者が識別される。
【００３８】
よって、画像分配器を検査機器制御装置とモニタの間に接続して配置することにより受診者を識別して受診者の誤認を防止することができるので、医療情報システムにおけるサーバに受診者を識別するための機能を持たせる必要がなく、既存の医療情報システムをそのまま用いて受診者識別機能を備えることができ、これにより、低コストで受診者の識別を行なうことができる。
【００３９】
なお、上記第１０の構成を以下のようにしてもよい。すなわち、「受診者を識別するための受診者確認装置であって、画像分配器（８０）と、読取り装置（７０）と、出力装置（５０、６０）と、確認装置本体（１０）と、を有し、画像分配器が、検査機器（１１６、１１８）と、該検査機器の動作を制御する検査機器制御装置（１１２）と、検査機器制御装置から送信される画像信号に基づく画像で、受診者に付与された受診者ＩＤを表示する表示欄を有し、検査機器制御装置を操作するための画像を表示するモニタ（１１４）とを有するモダリティ装置（１１０）における検査機器制御装置とモニタの間に接続され、検査機器制御装置から送られた該画像信号が、画像分配器を介してモニタと確認装置本体に対して送られ、読取り装置が、受診者が装着する装着具に保持された受診者ＩＤを読み取り、読取り装置による受診者ＩＤの読取りがあった場合には、確認装置本体が、画像分配器から入力された画像信号をデジタル画像データに変換し、該デジタル画像データから受診者ＩＤを検出するとともに、該検出された受診者ＩＤを読取り装置により読み取られた受診者ＩＤと比較して、その一致度を判定し、判定した結果を出力装置から出力することを特徴とする受診者確認装置。」としてもよい。
【００４０】
また、第１１には、上記第９又は第１０の構成において、受診者に付与された受診者ＩＤを少なくとも有する受診者情報を含む送信データで検査機器制御装置に入力するための送信データを送信する送信装置（１０１）と該検査機器制御装置の間に接続される（「接続された」としてもよい）ハブ装置（９０）が設けられ、送信装置と検査機器制御装置間で通信される通信データで該送信データを含む通信データが、該ハブ装置により確認装置本体に送られ、確認装置本体は、該ハブ装置から送られた通信データから受診者情報を検出（抽出としてもよい）して、検出した受診者情報を蓄積するとともに、読取り装置による読取り情報の読取りがあった場合には、蓄積された受診者情報において読取り情報に基づき検出した受診者ＩＤと一致する受診者ＩＤを有する受診者情報を出力装置に出力することを特徴とする。
【００４１】
よって、ハブ装置をシステム本体と検査機器制御装置の間に接続して配置することにより受診者情報を表示できるので、医療情報システムにおけるサーバに受診者情報を表示するための機能を持たせる必要がなく、既存の医療情報システムをそのまま用いて受診者情報表示機能を備えることができ、これにより、低コストで受診者の識別を行なうことができる。また、２つの受診者ＩＤの一致度を出力するだけでなく、受診者情報を表示することができるので、本人確認を容易とすることができる。
【００４２】
なお、第１１の構成を以下のようにしてもよい。すなわち、「上記第９又は第１０の構成において、受診者に付与された受診者ＩＤを少なくとも有する受診者情報を含む送信データで検査機器制御装置に入力するための送信データを送信する送信装置（１０１）と該検査機器制御装置の間に接続される（「接続された」としてもよい）ハブ装置（９０）が設けられ、送信装置と検査機器制御装置間で通信される通信データで該送信データを含む通信データが、ハブ装置により確認装置本体に送られ、確認装置本体は、ハブ装置から送られた通信データから受診者情報を検出（抽出としてもよい）して、抽出した受診者情報を蓄積するとともに、読取り装置による受診者ＩＤの読取りがあった場合には、蓄積された受診者情報において読取り装置により読み取られた受診者ＩＤと一致する受診者ＩＤを有する受診者情報を出力装置に出力することを特徴とする。」としてもよい。
【００４３】
また、第１２には、上記第１１の構成において、送信装置から送信される送信データに含まれる受診者情報には、少なくとも受診者の氏名の情報が含まれることを特徴とする。
【００４４】
また、第１３には、上記第９から第１２までのいずれかの構成において、確認装置本体は、デジタル画像データにおける受診者ＩＤが表示された領域に対して光学式文字認識を行なうことにより受診者ＩＤを検出することを特徴とする。
【００４５】
また、第１４には、上記第９から第１３までのいずれかの構成において、情報保持手段が、読取り情報としてのバーコードが表示されたバーコード表示体であり、読取り装置が、バーコード表示体に表示されたバーコードを読み取るバーコードリーダであることを特徴とする。
【００４６】
また、第１５には、第８又は第１４の構成において、バーコード表示体が、バーコードが表示されたリストバンド又はバーコードが表示された帳票であることを特徴とする。
【００４７】
なお、上記第９から第１５までのいずれかの構成において、上記出力装置が、判定結果を表示する表示装置及び／又は判定結果を音声で出力する音声出力装置であることを特徴とするものとしてもよい。
【発明の効果】
【００４８】
本発明に基づく請求項１、請求項７、請求項９及び請求項１０における受診者確認装置によれば、画像信号取得手段（画像分配器）を検査機器制御装置とモニタの間に接続して配置することにより受診者を識別して受診者の誤認を防止することができるので、医療情報システムにおけるサーバに受診者を識別するための機能を持たせる必要がなく、既存の医療情報システムをそのまま用いて受診者識別機能を備えることができ、これにより、低コストで受診者の識別を行なうことができ、
また、請求項２及び請求項１１における受診者確認装置によれば、通信データ取得手段（ハブ装置）を送信装置と検査機器制御装置の間に接続して配置することにより受診者情報を表示できるので、医療情報システムにおけるサーバに受診者情報を表示するための機能を持たせる必要がなく、既存の医療情報システムをそのまま用いて受診者情報表示機能を備えることができ、これにより、低コストで受診者の識別を行なうことができる。また、２つの受診者ＩＤの一致度を出力するだけでなく、受診者情報を表示することができるので、本人確認を容易とすることができる。
【図面の簡単な説明】
【００４９】
【図１】受診者確認装置及び医療情報システムの構成を示す説明図である。
【図２】受診者確認装置及び医療情報システムの構成を示すブロック図である。
【図３】ＤＩＣＯＭ検出受診者情報格納部の構成を示す説明図である。
【図４】照合テーブルの構成を示す説明図である。
【図５】受診者確認装置を使用する操作者の動作を示すフローチャートである。
【図６】受診者確認装置の動作を示すフローチャートである。
【図７】医療情報システムの動作を示すフローチャートである。
【図８】医療情報システムの動作を示すフローチャートである。
【図９】受診者確認装置の動作を示すフローチャートである。
【図１０】受診者確認装置の動作を示すフローチャートである。
【図１１】コンソールモニタに表示される検査用画面を示す説明図である。
【図１２】受診者確認装置におけるモニタへの表示例を示す説明図である。
【図１３】従来における医療情報システムを示すブロック図である。
【発明を実施するための形態】
【００５０】
本発明においては、病院等の医療機関における医療情報システムを構成するサーバに受診者を識別するための機能を持たせる必要がなく、既存の医療情報システムをそのまま用いて受診者識別機能を備えることができる受診者確認装置を提供するという目的を以下のようにして実現した。
【００５１】
本発明に基づく受診者確認装置（受診者識別装置、患者確認装置、患者識別装置としてもよい）５は、システム本体１０１とモダリティ装置１１０とを有する医療情報システム１００に接続されている。
【００５２】
ここで、受診者確認装置５は、図１、図２に示すように、端末１０と、モニタ５０と、スピーカ６０と、バーコードリーダ７０と、画像分配器８０と、キャプチャユニット８２と、ハブ９０とを有している。
【００５３】
端末（確認装置本体）１０は、通信部２０、２２、２４、２６、２８と、記憶部３０と、ＣＰＵ４０とを有している。
【００５４】
通信部２０は、画像分配器８０との通信を行なうものであり、主として、画像分配器８０を介してＣＴコンソール１１２から送られた画像データを受信する。通信部２２は、ハブ９０との通信を行なうものであり、具体的には、ＮＩＣボードと、該ＮＩＣボードに取り付けられたＬＡＮ端子（具体的には、ＲＪ４５端子）とを有し、ハブ９０から送信される通信データ（ＤＩＣＯＭ規格の通信データ（以下「ＤＩＣＯＭデータ」とする）を含む通信データ）を受信する。通信部２４は、バーコードリーダ７０との通信を行なうものであり、バーコードリーダ７０から送られるデータを受信する。通信部２６は、モニタ５０との通信を行なうものであり、通信部２８は、スピーカ６０との通信を行なう。通信部２０〜２８は、例えば、ＵＳＢ端子を有する構成となっている。
【００５５】
また、記憶部３０は、各種情報を記憶するための記憶装置であり、主として、補助記憶装置として機能する。この記憶部３０は、プログラム格納部３２と、データ格納部３４とを有している。
【００５６】
このプログラム格納部３２は、端末１０を動作させるための各種プログラムを格納する記憶部であり、主としてＣＰＵ４０の動作を制御するためのプログラムを格納する。特に、図６〜図１０に示すフローチャートに示す動作を制御するためのプログラムが格納されている。
【００５７】
また、データ格納部３４は、各種データを記憶するための記憶部であり、特に、図３に示すＤＩＣＯＭ検出受診者情報格納部３６や、図４に示す照合テーブル３８が設けられている。
【００５８】
ＤＩＣＯＭ検出受診者情報格納部３６は、ハブ９０を介して受信した通信データを解析することにより検出された受診者情報を記憶するものであり、受診者のＩＤ、氏名、生年月日、性別の各情報が記憶される。
【００５９】
また、照合テーブル３８は、バーコード検出受診者情報と画像検出受診者情報とを比較することにより、それらの一致度を判定するためのテーブルであり、判定結果としては、「完全一致」、「一部一致」、「不一致」のいずれかの判定が判定結果に記録される。ここで、バーコード検出受診者情報は、受診者が装着しているリストバンド７２に表示されているバーコードを読み取ることにより検出される受診者ＩＤの情報であり、画像検出受診者情報は、画像分配器８０及びキャプチャユニット８２を介して受信した検査用画面の画像データにおける受診者ＩＤ表示欄２００の領域を光学式文字認識（ＯＣＲ）により検出される情報である。
【００６０】
また、ＣＰＵ４０は、端末１０における各部の動作を制御するものであり、制御装置、演算装置、主記憶装置としての機能を有し、特に、プログラム格納部３２に格納された各プログラムに従い動作する。
【００６１】
また、モニタ５０は通信部２６と接続され、このモニタ５０には、特に、バーコード検出受診者情報と画像検出受診者情報とを比較することによる判定結果と、バーコードから検出した受診者ＩＤと同一の受診者ＩＤを有する受診者情報が表示される。また、スピーカ６０は通信部２８と接続され、スピーカ６０からは該判定結果に応じた音が出力される。モニタ５０とスピーカ６０は、出力装置として機能する。
【００６２】
また、バーコードリーダ（読取り装置）７０は、通信部２４に接続され、レーザー光線又はＬＥＤ光をバーコードに照射し、その反射光を読み取って認識する。バーコードリーダ７０は、受診者が装着するリストバンド７２に表示されたバーコードを読み取るためのものである。
【００６３】
リストバンド７２にはバーコードが表示され、受診者ＩＤがバーコードの形で表示されている。バーコードリーダ７０で読み取られたバーコードは、バーコードを解析するためのプログラムに従い解析することにより受診者ＩＤが検出される。つまり、バーコードとしての受診者ＩＤを解析することにより文字化された受診者ＩＤとする。
【００６４】
ここで、バーコードリーダ７０が「受診者に与えられた情報保持手段に保持された情報である読取り情報を読み取る読取り手段（読取り装置）」として機能し、バーコードリーダ７０により読み取られたバーコードを解析するためのプログラムを格納するプログラム格納部３２と、該プログラムに従い動作するＣＰＵ４０とが、「読取り手段により読み取られた読取り情報から受診者ＩＤを検出する第２受診者情報検出手段」として機能する。また、上記「読取り手段」と「第２受診者情報検出手段」とで、受診者ＩＤ読取り手段が構成される。
【００６５】
また、リストバンド７２が、「受診者に与えられた情報保持手段（情報保持部としてもよい（他においても同じ））」や「読取り情報としてのバーコードが表示されたバーコード表示体」や「装着具」に当たり、また、リストバンド７２に表示されたバーコードは、「情報保持手段に保持された情報」、すなわち、読取り情報に当たる。
【００６６】
また、画像分配器８０は、入出力される画像信号を分配して出力する装置であり、具体的には、画像信号がＶＧＡ信号の場合には、ＶＧＡスプリッタが使用され、画像信号がＤＶＩ信号の場合には、ＤＶＩスプリッタが使用される。画像分配器８０は、ＣＴコンソール１１２とコンソールモニタ１１４の間に接続されるとともに、キャプチャユニット８２に接続され、ＣＴコンソール１１２とコンソールモニタ１１４の間を送信される画像信号をキャプチャユニット８２に出力する。画像分配器８０のＣＴコンソール１１２との接続については、ＣＴコンソール１１２の端子（画像信号がＶＧＡ信号の場合には、ＶＧＡ端子、ＤＶＩ端子の場合には、ＤＶＩ端子）と画像分配器８０の入力端子間を接続ケーブルで接続し、画像分配器８０のコンソールモニタ１１４との接続については、画像分配器８０の出力端子とコンソールモニタ１１４の端子（画像信号がＶＧＡ信号の場合には、ＶＧＡ端子、ＤＶＩ端子の場合には、ＤＶＩ端子）間を接続ケーブルで接続する。
【００６７】
また、キャプチャユニット（変換装置）８２は、モニタ表示用の画像信号（アナログ信号の場合もあるし、デジタル信号の場合もある）をデジタル画像データに変換するものであり、例えば、アナログ信号としてのＶＧＡ信号（アナログＲＧＢ信号）をデジタル画像データに変換する場合や、デジタル信号としてのＤＶＩ信号（デジタルＲＧＢ信号）をデジタル画像データに変換する場合がある。キャプチャユニット８２は、画像分配器８０及び通信部２０に接続して設けられ、画像分配器８０から受信した信号を変換して通信部２０に送信する。
【００６８】
キャプチャユニット８２における変換後のデジタル画像データは、ＵＳＢ入力対応のデジタル画像データであり、例えば、静止画像（例えば、ＪＰＥＧ形式の静止画像）のデータであり、キャプチャユニット８２からは、所定周期で静止画像のデータが出力される。この変換後のデジタル画像データを用いて受診者ＩＤが検出されるので、該デジタル画像データは、受診者ＩＤ検出用のデジタル画像データといえる。キャプチャユニット８２の画像分配器８０との接続については、画像分配器８０の出力端子とキャプチャユニット８２の入力端子を接続ケーブルで接続する。
【００６９】
ここで、画像分配器８０が、「検査機器と、該検査機器の動作を制御する検査機器制御装置と、検査機器制御装置から送信される画像信号に基づく画像で、受診者に付与された受診者ＩＤを表示する表示欄を有し、検査機器制御装置を操作するための画像を表示するモニタとを有するモダリティ装置における検査機器制御装置とモニタの間に接続された画像信号取得手段で、検査機器制御装置から送信される該画像信号を取得する画像信号取得手段」に当たり、キャプチャユニット８２が、「画像信号取得手段により取得された画像信号をデジタル画像データに変換する変換手段」に当たる。また、キャプチャユニット８２から出力されるデジタル画像データが、「画像信号取得手段により取得した画像信号に基づく画像データ」に当たる。
【００７０】
また、ハブ（ハブ装置）９０は、具体的にはリピータハブであり、リピータハブは、複数のポートを有し、ある端子（ポート）から受信した送信データを他の全ての端子（ポート）から出力する機能を有する装置であり、ＲＩＳサーバ１０６及びＣＴコンソール１１２に接続されるとともに、通信部２２に接続され、ＲＩＳサーバ１０６とＣＴコンソール１１２間に通信される（つまり、送受信される）通信データをそのまま通信部２２に送信する。つまり、ハブ９０は、ＲＩＳサーバ１０６からＣＴコンソール１１２に送られる送信データ及びＣＴコンソール１１２からＲＩＳサーバ１０６に送られる送信データを通信部２２を介して端末１０に送る。ハブ９０のＲＩＳサーバ１０６との接続については、ＲＩＳサーバ１０６のＬＡＮ端子とハブ９０の１つの端子間を接続ケーブルで接続し、ハブ９０のＣＴコンソール１１２との接続については、ＣＴコンソール１１２のＬＡＮ端子とハブ９０の他の１つの端子間を接続ケーブルで接続し、ハブ９０の通信部２２との接続については、ハブ９０の他の１つの端子と通信部２２の端子（例えば、ＬＡＮ端子）間を接続ケーブルで接続する。
【００７１】
次に、医療情報システム１００は、病院等の医療機関における医療情報システムであり、システム本体１０１と、モダリティ装置１１０とを有している。
【００７２】
ここで、システム本体１０１は、端末１０２と、端末１０２に接続されたＨＩＳサーバ（Hospital Information System Server）（病院情報システムサーバ）１０４と、ＨＩＳサーバ１０４に接続されたＲＩＳサーバ（Radiology Information System Server）（放射線部門情報システムサーバ）１０６とを有している。
【００７３】
ここで、ＨＩＳとは、病院内の検査診断予約システム（オーダリングシステム）や医事会計システム、電子カルテなどの総称であり、ＲＩＳとは、放射線科部門の検査予約や検査状態、薬品等の管理、検査統計を管理するシステムである。
【００７４】
ここで、ＲＩＳサーバ１０６は、「受診者に付与された受診者ＩＤを少なくとも有する受診者情報を含む送信データで検査機器制御装置に入力するための送信データを送信する送信装置」として機能する。
【００７５】
また、モダリティ装置１１０は、ＣＴコンソール１１２と、コンソールモニタ１１４と、ガントリ１１６と、寝台１１８とを有している。
【００７６】
ＣＴコンソール１１２は、ガントリ１１６や寝台１１８の動作を制御するコンピュータ装置であり、コンソールモニタ１１４は、ガントリ１１６や寝台１１８を操作する際に用いられる表示装置であり、図１１に示すような検査用画面が表示される。
【００７７】
図１１に示す検査用画面においては、受診者ＩＤ表示欄２００と、受診者名表示欄２０２と、受診者名表示欄２０４と、生年月日表示欄２０６と、性別表示欄２０８と、年齢表示欄２１０と、体重表示欄２１２と、撮影した画像を表示する画像表示欄２２０等が設けられている。なお、受診者名表示欄２０２と受診者名表示欄２０４とが設けられているが、一方は、カタカナ又はローマ字により表示され、他方が、漢字により表示される。
【００７８】
システム本体１０１及びモダリティ装置１１０においては、端末１０２から検査オーダー情報がＨＩＳサーバ１０４に送られると、ＨＩＳサーバ１０４からＲＩＳサーバ１０６に対して、検査オーダー情報と受診者情報が送られ、ＲＩＳサーバ１０６からＣＴコンソール１１２に対して、検査オーダー情報と受診者情報が送られる。ＣＴコンソール１１２は、ＲＩＳサーバ１０６から送られた検査オーダー情報と受診者情報に従い、所定の検査用画面（図１１参照）をコンソールモニタ１１４に表示する。図１１に示す検査用画面は、ＣＴコンソール１１２から送信される画像信号に基づいて表示される画像であり、受診者に付与された受診者ＩＤを表示する表示欄（つまり、受診者ＩＤ表示欄２００）を有し、ＣＴコンソール１１２を操作するための画像であるといえる。
【００７９】
ここで、ガントリ１１６と寝台１１８とが「検査機器」に当たり、ＣＴコンソール１１２が「検査機器の動作を制御する検査機器制御装置」に当たり、コンソールモニタ１１４が「検査機器制御装置から送信される画像信号に基づく画像で、受診者に付与された受診者ＩＤを表示する表示欄を有し、検査機器制御装置を操作するための画像を表示するモニタ」に当たる。
【００８０】
なお、受診者確認装置５（つまり、端末１０と、モニタ５０と、スピーカ６０と、バーコードリーダ７０と、画像分配器８０と、キャプチャユニット８２と、ハブ９０）と、モダリティ装置１１０（つまり、ＣＴコンソール１１２と、コンソールモニタ１１４と、ガントリ１１６と、寝台１１８）は、検査室に設けられている。
【００８１】
次に、図５〜図１０に示すフローチャートを使用して、受診者確認装置５の動作について説明する。なお、図５〜図１０に示すフローチャートにおいて、図５は、操作者が行なう動作について説明するものであり、図６〜図１０は、端末１０における動作を説明するものである。
【００８２】
まず、所定の周期（例えば、１秒間に数十回〜数千回（他においても同じ））で、ハブ９０を介して通信データを受信して、該通信データに含まれる受診者情報を検出して、検出した受診者情報をＤＩＣＯＭ検出受診者情報格納部３６に格納する。
【００８３】
すなわち、ハブ９０を介してＲＩＳサーバ１０６とＣＴコンソール１１２間に通信されている（つまり、送受信されている）通信データをパケットごとに受信し（Ｓ３１）、この通信データをフィルタリングしてＤＩＣＯＭデータのみを抽出する（Ｓ３２）。つまり、ＲＩＳサーバ１０６とＣＴコンソール１１２間の通信データには、ＤＩＣＯＭデータ以外のデータ（例えば、ＴＣＰ／ＩＰ規格の通信データ）も含まれているので、ＤＩＣＯＭデータのみを抽出する。
【００８４】
そして、抽出したＤＩＣＯＭデータに所定のデータ群（すなわち、「Ｃ−ＦＩＮＤ−ＲＳＰ−ＤＡＴＡ」のデータ群）が存在するか否かを判定して（Ｓ３３）、存在する場合には、該所定のデータ群を抽出する（Ｓ３４）。この「Ｃ−ＦＩＮＤ−ＲＳＰ−ＤＡＴＡ」のデータ群は、ＤＩＣＯＭデータにおいて、検査を開始する際にＣＴコンソール１１２に対して送信されるデータ群であり、このデータ群の中に受診者情報が含まれている。
【００８５】
該所定のデータ群を抽出したら、該データ群を解析して受診者情報（受診者ＩＤ、氏名、生年月日、性別）を抽出し、該受診者情報をＤＩＣＯＭ検出受診者情報格納部３６に保存する（Ｓ３６）。
【００８６】
図６のフローチャートに示す処理は所定の周期で行われるが、ＣＴコンソール１１２における所定の入力操作（後述するステップＳ１２）をした際に、ＣＴコンソール１１２から「Ｃ−ＦＩＮＤ−ＲＱ」のデータ群がＲＩＳサーバ１０６に送信され、これに対して、ＲＩＳサーバ１０６から「Ｃ−ＦＩＮＤ−ＲＳＰ−ＤＡＴＡ」のデータ群がＣＴコンソール１１２に対して送信されるので、その際に受信したパケットから受診者情報が検出できることになる。
【００８７】
なお、ＤＩＣＯＭ検出受診者情報格納部３６には、検出された受診者情報が全て蓄積されていく。つまり、受診者情報は上書きされることなく、順次保存されていく。
【００８８】
ここで、ハブ９０が「受診者に付与された受診者ＩＤを少なくとも有する受診者情報を含む送信データで検査機器制御装置に入力するための送信データを送信する送信装置と該検査機器制御装置の間に接続された通信データ取得手段で、送信装置と検査機器制御装置間で通信される通信データで該送信データを含む通信データを取得する通信データ取得手段」として機能し、図６におけるステップＳ３１〜Ｓ３５までの処理を行なうプログラムを格納するプログラム格納部３２と該プログラムに従い動作するＣＰＵ４０とが、「通信データ取得手段により取得された通信データから受診者情報を検出する受診者情報検出手段」として機能し、図６におけるステップＳ３６の処理を行なうプログラムを格納するプログラム格納部３２と該プログラムに従い動作するＣＰＵ４０と受診者情報を蓄積するためのＤＩＣＯＭ検出受診者情報格納部３６とが、「受診者情報検出手段により検出された受診者情報を蓄積する受診者情報蓄積手段」として機能する。
【００８９】
次に、検査の手順として、まず、端末１０２により検査オーダーを入力する（Ｓ１１、Ｓ４１）。すると、検査オーダー情報がＨＩＳサーバ１０４に送信され（Ｓ４２）、検査オーダー情報と受診者情報が、ＨＩＳサーバ１０４からＲＩＳサーバ１０６に対して送信される（Ｓ４３）。
【００９０】
次に、ＣＴコンソール１１２において、所定の入力操作を行なう（具体的には、図１１の検査用画面における「読込みサーバから」のアイコン２３０をクリックする）（Ｓ１２）。すると、受診者情報と検査オーダー情報がＲＩＳサーバ１０６からＣＴコンソール１１２に送信され（Ｓ５１、Ｓ５２）、ＲＩＳサーバ１０６から送られた受診者情報及び検査オーダー情報とに従い、ＣＴコンソール１１２から最新の検査用画面のデータをコンソールモニタ１１４に送信されて表示され、次に検査すべき受診者についての検査用画面が表示される（Ｓ５３）。
【００９１】
つまり、ＣＴコンソール１１２において、該所定の入力操作を行なうと、受診者情報がＣＴコンソール１１２に送信されるので（つまり、受診者情報と検査オーダー情報とが「Ｃ−ＦＩＮＤ−ＲＳＰ−ＤＡＴＡ」のデータ群に含まれた形で送信される）、ハブ９０を介して通信データを受信することにより、受診者情報が検出できることになる。なお、図８のフローチャートに示す処理は、所定の周期で行われる。
【００９２】
次に、受診者が検査室に移動して（Ｓ１３）、検査室において、受診者が装着しているリストバンド７２のバーコードをバーコードリーダ７０により読み取る（Ｓ１４）。
【００９３】
すると、端末１０においては、バーコードの読取りがあったか否かが所定の周期で判定されており（Ｓ６１）、バーコードの読取りがあった場合には、読み取ったバーコードを解析して受診者ＩＤを検出し、検出した受診者ＩＤを照合テーブル３８におけるバーコード検出受診者情報に保存する（Ｓ６２）。なお、ここでいう「受診者」とは、「患者」を含む意味であるとともに、「被検者」と同義である。
【００９４】
次に、画像検出受診者情報を検出・保存する（Ｓ６３）。すなわち、コンソールモニタ１１４には、次に検査すべき受診者の検査用画面（図１１参照）が表示されているので、この検査用画面の画像を解析する（Ｓ８１）。つまり、画像分配器８０からはこの検査用画面の画像信号がキャプチャユニット８２に送られ、キャプチャユニット８２において、該画像信号がデジタル画像データに変換されて端末１０に送られているので、端末１０においては、バーコードリーダ７０によるバーコードの読取りのタイミングで、受信したデジタル画像データ（検査用画面の画像データ）における受診者ＩＤ表示欄２００の領域を光学式文字認識（ＯＣＲ）により解析することにより該デジタル画像データから受診者ＩＤを検出する。つまり、所定周期でデジタル画像データが通信部２０を介してＣＰＵ４０に送られるが、ＣＰＵ４０は、バーコード読取りを検出した直後に通信部２０を介して送られたデジタル画像データに対して光学式文字認識を行なう。以上のように、画像分配器８０により取得した画像信号に基づいて受診者ＩＤが検出される。ここで、プログラム格納部３２に格納されている解析用プログラムと該解析用プログラムに従い動作するＣＰＵ４０とが、「変換手段により得られたデジタル画像データから受診者ＩＤを検出する第１受診者ＩＤ検出手段」に当たる。また、キャプチャユニット８２とプログラム格納部３２に格納されている解析用プログラムと該解析用プログラムに従い動作するＣＰＵ４０とが、「画像信号取得手段により取得された画像信号に基づき受診者ＩＤを検出する第１受診者ＩＤ検出手段」に当たる。
【００９５】
この解析により検出された受診者ＩＤを照合テーブルにおける画像検出受診者情報に保存する（Ｓ８２）。以上のようにして、バーコード検出受診者情報と画像検出受診者情報の一対の情報が照合テーブル３８に保存されることになる。
【００９６】
なお、図９においては、「バーコード検出受診者情報を保存（Ｓ６２）」の次に「画像検出受診者情報を検出・保存（Ｓ６３）」を行なうとなっているが、その順序は逆でもよく、「画像検出受診者情報を検出・保存」の次に「バーコード検出受診者情報を保存」を行ってもよい。
【００９７】
次に、バーコード検出受診者情報と画像検出受診者情報とを照合して、その一致度を判定する（Ｓ６４）。すなわち、一致する度合いを数値化して、その一致度を判定する。一致する度合いの数値化の方法としては、例えば、複数桁の情報において、各桁が一致する割合を算出する。ここで、該判定を行なうためのプログラムを格納するプログラム格納部３２と該プログラムに従い動作するＣＰＵ４０とが、「第１受診者ＩＤ検出手段により検出した受診者ＩＤと、第２受診者ＩＤ検出手段により検出した受診者ＩＤとを比較して、その一致度を判定する判定手段」として機能する。
【００９８】
次に、バーコード検出受診者情報と画像検出受診者情報とを照合した結果、完全一致したか否かを判定し（Ｓ６５）、完全一致の場合には、完全一致の旨の出力を行なう（Ｓ６６）。例えば、完全一致を示す表示をモニタ５０に行なうとともに、完全一致を示す音をスピーカ６０から出力する。完全一致を示す表示としては、例えば、図１２（ａ）に示すように、完全一致を示す記号５１ａ（○の図形）とともに、「完全一致」の文字５２ａを表示する。
【００９９】
一方、ステップＳ６５において、完全一致でない場合には、一部一致であるか否かを判定し（Ｓ６７）、一部一致の場合には、一部一致の旨の出力を行なう（Ｓ６８）。例えば、一部一致を示す表示をモニタ５０に行なうとともに、一部一致を示す音をスピーカ６０から出力する。一部一致を示す表示としては、例えば、図１２（ｂ）に示すように、一部一致を示す記号５１ｂ（△の図形）とともに、「一部一致」の文字５２ｂを表示する。
【０１００】
一方、ステップＳ６７において、一部一致でない場合には、不一致の旨の出力を行なう（Ｓ６９）。例えば、不一致を示す表示をモニタ５０に行なうとともに、不一致を示す音をスピーカ６０から出力する。不一致を示す表示としては、例えば、図１２（ｃ）に示すように、不一致を示す記号５１ｃ（×の図形）とともに、「不一致」の文字５２ｃを表示する。
【０１０１】
なお、完全一致と、一部一致と、不一致の分け方については、一致度を数値化した値にしきい値を設けることにより区分けし、例えば、１００％とａ％をしきい値とし、一致度が１００％の場合には、完全一致とし、一致度がａ％以上１００％未満の場合には、一部一致とし、一致度がａ％未満の場合には、不一致とする。ここで、ａ％におけるａの値は任意であるが、例えば、７０％とする。
【０１０２】
これにより、端末１０の操作者（例えば、検査を行なう検査者）は、モニタ５０の表示とスピーカ６０からの音声により完全一致、一部一致及び不一致のいずれであるかを知ることができる。
【０１０３】
なお、一致度を出力する際にモニタ５０とスピーカ６０とこれらを動作させるためのプログラムを格納するプログラム格納部３２が、「判定手段による判定結果を出力する出力手段」として機能する。
【０１０４】
次に、ＤＩＣＯＭ検出受診者情報格納部３６に格納されているＩＤに、バーコードを読み取ることにより検出したバーコード検出受診者情報と同一のＩＤが存在するか否かを判定し（Ｓ７０）、同一のＩＤが存在する場合には、ＤＩＣＯＭ検出受診者情報格納部３６における該ＩＤに対応する受診者情報をモニタ５０に表示する（Ｓ７１）。なお、この受診者情報の表示は、完全一致又は一部一致又は不一致の表示とともに、モニタ５０に表示する。すなわち、図１２に示す例では、完全一致又は一部一致又は不一致の表示とともに、受診者情報として、受診者の氏名、生年月日、性別が表示される。なお、生年月日の代わりに、生年月日から算出した年齢を表示してもよい。
【０１０５】
そして、判定結果が「完全一致」で「受診者情報表示あり（つまり、ＤＩＣＯＭ検出受診者情報格納部３６に格納されているＩＤに、バーコードを読み取ることにより検出したバーコード検出受診者情報と同一のＩＤが存在する）」の場合には、検査を実行する（Ｓ１５、Ｓ１６）。なお、この場合でも、受診者情報がモニタ５０に表示されているので、モニタ５０に表示されている氏名を発音して受診者に呼びかけたり、表示されている生年月日に基づく年齢と容姿を比較したり、表示されている性別を受診者の容姿と比較することにより確認することが望ましい。
【０１０６】
一方、「一部一致」で「受診者情報表示あり（つまり、ＤＩＣＯＭ検出受診者情報格納部３６に格納されているＩＤに、バーコードを読み取ることにより検出したバーコード検出受診者情報と同一のＩＤが存在する）」の場合には、受診者への目視及び受診者への質問により本人であるか否かを確認し（Ｓ１８）、本人と確認できた場合には、検査を実行する（Ｓ１９、Ｓ１６）。ここで、受診者への目視については、上記ステップＳ７１において、生年月日や性別がモニタ５０に表示されるので、受診者を見ることにより、明らかに本人でないことを知ることができる。例えば、受診者の容姿が生年月日に基づく年齢と明らかに異なる場合や、受診者の容姿がモニタ５０に表示された性別と明らかに異なる場合に、本人でないことを知ることができる。また、受診者への質問としては、モニタ５０に表示されている氏名を見て「○○さんですか。」と質問することにより本人と確認する。つまり、上記ステップＳ１７では、一部一致ではあるが、これは、画像検出受診者情報が光学式文字認識（ＯＣＲ）により検出されたものであることから検出精度が必ずしも高くない場合があるので、受診者情報が表示されている（つまり、ＤＩＣＯＭデータにはその名前が存在する）ことから一定の信頼性があるとして、確認作業を行なうことにより本人を確認するのである。
【０１０７】
一方、「完全一致」で「受診者情報あり」の場合でもなく、「一部一致」で「受診者情報あり」の場合でもない場合、つまり、不一致の場合や、受診者情報が存在しない場合には、その受診者に対して検査を行わずに、検査内容を再確認する（Ｓ２０）。再確認の方法としては、例えば、受診者に氏名を聞いて、コンソールモニタ１１４に表示されている氏名と同一であるかを確認する方法や、モニタ５０に氏名が表示されている場合には、受診者から聞いた氏名と同一であるか否かを確認する方法や、そもそも受診者情報が存在しない場合には、キャプチャユニット８２の変換精度が必ずしも高くない場合があるものの、その受診者がその検査（例えば、ＣＴによる検査）の対象とはなっていないことも考えられるので、その受診者への検査内容を再確認する。
【０１０８】
本実施例の受診者確認装置５によれば、ハブ９０をＲＩＳサーバ１０６とＣＴコンソール１１２間に接続して配置し（つまり、病院システム本体とモダリティ装置間に接続して配置する）、画像分配器８０をＣＴコンソール１１２とコンソールモニタ１１４間に接続して配置する（つまり、モダリティ装置におけるコンソールとモニタ間に接続して配置する）ことにより受診者を識別して受診者の誤認を防止することができるとともに、受診者情報を表示することができるので、医療情報システム１００におけるサーバ（ＨＩＳサーバ１０４やＲＩＳサーバ１０６、特に、ＲＩＳサーバ１０６）に受診者を識別するための機能を持たせる必要がなく、また、該サーバに受診者情報を表示する機能を持たせる必要がなく、既存の医療情報システムをそのまま用いて受診者識別機能を備えることができ、これにより、低コストで受診者の識別を行なうことができる。
【０１０９】
また、本実施例の受診者確認装置５によれば、バーコード検出受診者情報と画像検出受診者情報とを照合して一致度を出力するだけでなく、ＤＩＣＯＭデータから受診者情報を検出してモニタ５０に表示するので、本人確認を容易とすることができる。
【０１１０】
なお、上記の説明において、ハブ９０はリピータハブであるとしたが、他のハブ装置であってもよく、例えば、特定のポートへの入力信号を他のポートにミラー出力することができるスイッチングハブであってもよい。つまり、上記のようなミラー出力機能を有するスイッチングハブに対して、ＲＩＳサーバ１０６からの接続ケーブルが接続されたポートへの入力信号とＣＴコンソール１１２からの接続ケーブルが接続されたポートへの入力信号を通信部２２からの接続ケーブルが接続されたポートに対してミラー出力するように設定しておくことにより、ＲＩＳサーバ１０６とＣＴコンソール１１２間の通信データを通信部２２に送ることができる。
【０１１１】
また、上記の説明においては、キャプチャユニット８２が設けられ、画像信号をデジタル画像データに変換して、端末１０に入力するものとして説明したが、画像信号を直接端末１０に入力する構成とし、端末１０において、バーコードリーダ７０によるバーコードの読取りのタイミングで、画像信号をデジタル画像データに変換し、変換されたデジタル画像データから受診者ＩＤを検出するようにしてもよい。この場合には、画像信号をデジタル画像データに変換するためのプログラムをプログラム格納部３２に設け、ＣＰＵ４０が該プログラムに従い動作する。つまり、キャプチャユニット８２の機能をプログラム格納部３２に格納されたプログラムと該プログラムに従い動作するＣＰＵ４０により行なうのである。この場合、「画像信号取得手段により取得された画像信号をデジタル画像データに変換する変換手段」や「画像信号取得手段により取得された画像信号に基づき受診者ＩＤを検出する第１受診者ＩＤ検出手段」は、端末１０に設けられることになる。
【０１１２】
また、上記の説明においては、モダリティ装置１１０がＣＴ装置である場合を例にとって説明したが、他のモダリティ装置でもよく、例えば、ＭＲＩ（magnetic resonance imaging）装置、Ｘ線ＴＶ装置、マンモグラフィー、超音波検査装置等でもよい。
【０１１３】
ＭＲＩ装置の場合には、ガントリ（検査機器）及び寝台（検査機器）と、ガントリや寝台の動作を制御するコンソール（検査機器制御装置）と、モニタとから構成され、コンソールとモニタの間に画像分配器８０が接続され、コンソールとＲＩＳサーバ１０６の間にハブ９０が接続される。
【０１１４】
また、Ｘ線ＴＶ装置の場合には、Ｘ線ＴＶ装置（検査機器）及び寝台（検査機器）と、Ｘ線ＴＶ装置や寝台の動作を制御するコンソール（検査機器制御装置）と、モニタとから構成され、コンソールとモニタの間に画像分配器８０が接続され、コンソールとＲＩＳサーバ１０６の間にハブ９０が接続される。
【０１１５】
また、マンモグラフィーの場合には、マンモグラフィー装置（検査機器）と、マンモグラフィー装置の動作を制御するコンソール（検査機器制御装置）と、モニタとから構成され、コンソールとモニタの間に画像分配器８０が接続され、コンソールとＲＩＳサーバ１０６の間にハブ９０が接続される。
【０１１６】
また、超音波診断装置の場合には、探触子が接続された装置本体（検査機器）と、装置本体の動作を制御するコンソール（検査機器制御装置）と、モニタとから構成され、コンソールとモニタの間に画像分配器８０が接続され、コンソールとＲＩＳサーバ１０６の間にハブ９０が接続される。
【０１１７】
また、上記の説明では、リストバンド７２に表示されたバーコード（受診者に与えられた情報保持手段に保持された情報）をバーコードリーダ７０により読み取り、読み取ったバーコードから受診者ＩＤを検出するものとして説明したが、これには限られず、受診者に与えられた情報保持手段に保持された情報又は受診者の生体情報である読取り情報を読取り装置（読取り手段）で読み取り、読み取られた読取り情報から受診者ＩＤを検出する構成であれば他の構成でもよい。
【０１１８】
例えば、リストバンド７２の代わりに、バーコードが印字して表示された紙製の帳票を用いて、該バーコードに保持された情報をバーコードリーダ７０により読み取ることとしてもよい。この場合、該帳票が、「受診者に与えられた情報保持手段」や「読取り情報としてのバーコードが表示されたバーコード表示体」となり、帳票に表示されたバーコードが、「受診者に与えられた情報保持手段に保持された情報」、つまり、読取り情報となる。
【０１１９】
また、ＲＦＩＤ（Radio Frequency IDentification）を用いて、ＩＤ情報を埋め込んだＲＦタグ（このＲＦタグが「受診者に与えられた情報保持手段」に当たり、該ＩＤ情報が、「情報保持手段に保持された情報」、つまり、読取り情報となる。）から情報をリーダ（読取り手段、読取り装置）により読み取り、読み取った情報（例えば、リーダから供給した電波に対してタグからの反射波の信号）を解析して受診者ＩＤを検出するものとしてもよい（この場合、読み取った情報を解析して受診者ＩＤを検出するためのプログラムと該プログラムに従い動作するＣＰＵとが、「読取り手段により読み取られた読取り情報から受診者ＩＤを検出する第２受診者情報検出手段」として機能する）。
【０１２０】
また、生体認証の技術を用いて、生体情報（例えば手のひら等の静脈パターン）をリーダにより読み取って、読み取った生体情報を解析して受診者ＩＤを検出するようにしてもよい（この場合、読み取った生体情報を解析して受診者ＩＤを検出するためのプログラムと該プログラムに従い動作するＣＰＵとが、第２受診者情報検出手段として機能する）。
【０１２１】
また、上記の説明においては、ハブ９０にＲＩＳサーバ１０６が接続されているとしたが、受診者情報をコンソールに送信する装置であれば、ＲＩＳサーバには限られない。
【符号の説明】
【０１２２】
５  受診者確認装置
１０  端末
２０、２２、２４、２６、２８  通信部
３０  記憶部
３２  プログラム格納部
３４  データ格納部
３６  ＤＩＣＯＭ検出受診者情報格納部
３８  照合テーブル
４０  ＣＰＵ
５０  モニタ
６０  スピーカ
７０  バーコードリーダ
８０  画像分配器
８２  キャプチャユニット
９０  ハブ
１００  医療情報システム
１０１  システム本体
１０２  端末
１０４  ＨＩＳサーバ
１０６  ＲＩＳサーバ
１１０  モダリティ装置
１１２  ＣＴコンソール
１１４  コンソールモニタ
１１６  ガントリ
１１８  寝台
【図１】
2015200981.tif 000003
【図２】
2015200981.tif 000004
【図３】
2015200981.tif 000005
【図４】
2015200981.tif 000006
【図５】
2015200981.tif 000007
【図６】
2015200981.tif 000008
【図７】
2015200981.tif 000009
【図８】
2015200981.tif 000010
【図９】
2015200981.tif 000011
【図１０】
2015200981.tif 000012
【図１１】
2015200981.tif 000013
【図１２】
2015200981.tif 000014
【図１３】
2015200981.tif 000015